(57)【要約】  椅子の上部に形成された首運動のための首運動支持体は、頭部と接触する接触板と、前記接触板の中間部に空間を形成する中央口と、前記接触板の横方向の内部を貫通する第１挿入口と、前記接触板を支持することができるように構成された接触板支持体と、前記接触板支持体の中央部に前記接触板の第１挿入口に対応する横方向に構成された第２挿入口と、前記第１挿入口と第２挿入口とを貫通する結合部と、前記第２挿入口と垂直方向に形成された接触板支持体貫通口と、前記接触板支持体貫通口と結合する一対の第１結合棒とを有し、前記接触板を、前記結合部を通じて前記接触板支持体と結合し、前記結合部と結合した前記接触板支持体を、前記第１結合棒を介して連結したことを特徴とする。  この首運動支持体を用いて首運動をすることにより、首の筋肉の強化と、頚椎の牽引効果を得ることができる。
2017511738.tif 000002
【特許請求の範囲】
【請求項１】
椅子の上部に形成された首運動のための首運動支持体を備えた椅子において、
頭部と接触する接触板と、
前記接触板の中間部に空間を形成する中央口と、
前記接触板の横方向の内部に孔を形成する第１挿入口と、
前記接触板を支持することができるように構成された接触板支持体と、
前記接触板支持体に前記接触板の第１挿入口に対応する横方向に構成された第２挿入口と、
前記第１挿入口と第２挿入口とを結合する結合部と、
前記第２挿入口と垂直方向に形成された第３の挿入口と、
前記接触板支持体結合具と結合する一対の第１結合棒とを有し、
前記接触板を、前記結合部を通じて前記接触板支持体と結合し、
前記結合部と結合した前記接触板支持体を、前記第１結合棒を介して連結したこと
を特徴とする首運動のための首運動支持体を備えた椅子。
【請求項２】
前記接触板の下部には、首指圧棒（３２）を設けたこと
を特徴とする請求項１に記載の首運動のための首運動支持体を備えた椅子。
【請求項３】
前記結合部は結合ピンで構成されたこと
を特徴とする請求項１に記載の首運動のための首運動支持体を備えた椅子。
【請求項４】
前記接触板と前記首運動支持体の前面部には、首が定着することができるように首に対応する屈曲部（３４）を形成したこと
を特徴とする請求項１に記載の首運動のための首運動支持体を備えた椅子。
【請求項５】
前記第１結合棒に接触板スプリングをさらに設けたこと
を特徴とする請求項１に記載の首運動のための首運動支持体を備えた椅子。
【請求項６】
前記首運動支持体は、後面部に弾性を有するスプリングを備えたこと
を特徴とする請求項１に記載の首運動のための首運動支持体を備えた椅子。
【請求項７】
前記スプリングはトーションスプリングであること
を特徴とする請求項６に記載の首運動のための首運動支持体を備えた椅子。
【請求項８】
前記第１結合棒と垂直方向に構成された第１回転軸をさらに設けたこと
を特徴とする請求項１に記載の首運動のための首運動支持体を備えた椅子。
【請求項９】
前記第１回転軸を中心に前記首運動支持体の底板を延長形成したこと
を特徴とする請求項８に記載の首運動のための首運動支持体を備えた椅子。
【請求項１０】
前記第１回転軸を挿入することができるように首運動支持体溝を形成した支持板をさらに設けたこと
を特徴とする請求項９に記載の首運動のための首運動支持体を備えた椅子。
【請求項１１】
前記支持板の下部に補助支持板をさらに設けたこと
を特徴とする請求項１０に記載の首運動のための首運動支持体を備えた椅子。
【請求項１２】
前記補助支持板には、前記支持板と連結するために第２結合棒を設けたこと
を特徴とする請求項１１に記載の首運動のための首運動支持体を備えた椅子。
【請求項１３】
前記第２結合棒と連結するために対応する結合棒挿入口を形成したこと
を特徴とする請求項１２に記載の首運動のための首運動支持体を備えた椅子。
【請求項１４】
前記第２結合棒に支持板スプリングを設けたこと
を特徴とする請求項１２に記載の首運動のための首運動支持体を備えた椅子。
【請求項１５】
前記補助支持板には、椅子の本体と結合するために支持棒をさらに設けたこと
を特徴とする請求項１３に記載の首運動のための首運動支持体を備えた椅子。
【請求項１６】
前記支持棒に背もたれスプリングをさらに設けたこと
を特徴とする請求項１４に記載の首運動のための首運動支持体を備えた椅子。
【請求項１７】
前記首運動支持体溝の内部には、弾性手段を設けたこと
を特徴とする請求項１０に記載の首運動のための首運動支持体を備えた椅子。
【請求項１８】
前記弾性手段は、ポケットスプリングを備えること
を特徴とする請求項１７に記載の首運動のための首運動支持体を備えた椅子。
【請求項１９】
前記補助支持板の下部には指圧棒固定板を設けたこと
を特徴とする請求項１５に記載の首運動のための首運動支持体を備えた椅子。
【請求項２０】
前記指圧棒固定板には肩指圧棒部を形成したこと
を特徴とする請求項１９に記載の首運動のための首運動支持体を備えた椅子。
【請求項２１】
前記肩指圧棒部は、ボルトとハンドルとを備える肩指圧棒を有し、前記肩指圧棒は、前記ボルトの一端に前記ボルトを前後進させることができる前記ハンドルと、前記ボルトの他端には前記ボルトをロック及び解除するための固定ピンとを設けたこと
を特徴とする請求項２０に記載の首運動のための首運動支持体を備えた椅子。
【請求項２２】
前記肩指圧棒部は、前記指圧棒固定板と結合するためにレールボックスを設けたこと
を特徴とする請求項２１に記載の首運動のための首運動支持体を備えた椅子。
【請求項２３】
前記肩指圧棒部を、上昇棒を介して連結し、かつ、椅子のハンドルを介して昇降可能に備えたこと
を特徴とする請求項２１に記載の首運動のための首運動支持体を備えた椅子。
【請求項２４】
前記上昇棒を昇降させる上昇レバーを設けたこと
を特徴とする請求項２３に記載の首運動のための首運動支持体を備えた椅子。
【請求項２５】
前記昇降ロック部は、第２ボルトと前記第２ボルトを前後進させることができるようにするスライド式留め具と、前記スライド式留め具を前後進させることができるケーブルを備え、かつ、
前記ケーブルが引っ張られる時、前記上昇レバーを上昇させることができるように第３回転軸を前記上昇レバーに設けたこと
を特徴とする請求項２４に記載の首運動のための首運動支持体を備えた椅子。
【発明の詳細な説明】
【技術分野】
【０００１】
本発明は、オフィス用椅子や車両用椅子などに取り付けられている首支え（ヘッドレスト）に関し、椅子に取り付けられた首支えを後頭部に力を入れて押して首運動をする時、首支えが後ろに倒れると同時に、首支えの下部分が上へ上昇しながら頚椎が牽引されるようにして首運動をすることにより、首の筋肉を強化させ、且つ頚椎の牽引効果を得るようにするために用いられる、首運動時に頚椎が牽引される首支えを備えた椅子に関する。
【０００２】
前述した２つが本発明の本来の目的である。
しかしながら、前記目的のための基本構造に簡単な付加装置を備えることにより、肩の指圧効果を得ることができるようにしたので、指圧の分野にも関わる。
【背景技術】
【０００３】
本発明は首の筋肉を強化し、首の痛みを治療するための分野で、特に狭くなった椎間板を広げる技術分野である。
【０００４】
該分野における従来技術としては、物理治療室で使用される通常の手段として、横になった姿勢で顎と後頭部を一緒に包んで頭頂側に牽引する複雑な器具を使用しており、一部オフィス用椅子でヘッドレストを利用しているが、その方法がいずれも顎と後頭部を包んで牽引する方法を利用している。
【０００５】
従来の技術は下記の通りである。
【０００６】
図１５の第一に示したように、最も原始的な方法は顎と後頭部を布で包んで引っ張ることである。
【０００７】
図１５の第二に示したのは、チューブで首を包み、エアを利用して首を伸ばすことである。
【０００８】
図１５の第三及び第四は回転椅子のヘッドレストを利用したもので、顎を支えて、油圧を利用して上に牽引するが、図１５の第三はヘッドレストを左右に操作するもので、図１５の第四は上下に操作してヘッドレストを兼用する技術に関するものである。
【発明の開示】
【発明が解決しようとする課題】
【０００９】
解決しようとする課題は、
第一に、首の筋肉を強化させてこそ根本的に治療ができるので、首の筋肉量を増やし、
第二に、狭くなった頚椎の間隔を広げ、
第三に、首の痛みを感じる人は、首の周りの筋肉に痛みが伴うため、肩周りを指圧することができようにし、
第四に、使用上の利便性を保ち、
第五に、接近性を向上させて誰でも頻繁に使用することができるようにして、効用を高めることである。
【課題を解決するための手段】
【００１０】
本発明は上述した課題を解決するための方法であって、椅子の上部に形成された首運動のための首運動支持体が、頭部と接触する接触板と、前記接触板の中間部に空間を形成する中央口と、前記接触板の横方向の内部を貫通する第１挿入口と、前記接触板を支持することができるように構成された接触板支持体と、前記接触板支持体の中央部に前記接触板の第１挿入口に対応する横方向に構成された第２挿入口と、前記第１挿入口と第２挿入口とを貫通する結合部と、前記第２挿入口と垂直方向に形成された接触板支持体貫通口と、前記接触板持体貫通口と結合する一対の第１結合棒とを有し、前記接触板を、前記結合部を通じて前記接触板支持体と結合し、前記結合部と結合した前記接触板支持体を、前記第１結合棒を介して連結したことを特徴とする。
【００１１】
また、前記接触板の下部には首指圧棒を構成したことを特徴とする。
【００１２】
また、結合部は多様に構成することができるが、本発明では結合ピンで構成されたことを特徴とする。
【００１３】
また、前記接触板と前記首運動支持体の前面部には首が定着することができるように首に相応する屈曲部を形成したことを特徴とする。
【００１４】
また、前記第１結合棒に接触板スプリングをさらに設けたことを特徴とする。
【００１５】
また、前記首運動支持体は、後面部に弾性を有するスプリングを備えたことを特徴とする。
【００１６】
また、前記スプリングはトーションスプリングであることを特徴とする。
【００１７】
また、前記第１結合棒と垂直方向に構成された第１回転軸をさらに設けたことを特徴とする。
【００１８】
また、前記第１回転軸を中心に前記首運動支持体の底板を延長形成したことを特徴とする。
【００１９】
また、前記第１回転軸を挿入することができるように首運動支持体溝を形成した支持板をさらに設けたことを特徴とする。
【００２０】
また、前記支持板の下部に補助支持板をさらに設置し、前記補助支持板には、前記支持板と連結するために、第２結合棒を設けたことを特徴とする。
【００２１】
また、前記第２結合棒と連結するために対応する結合棒挿入口を形成し、前記第２結合棒に支持板スプリングを設けたことを特徴とする。
【００２２】
また、前記補助支持板には、椅子の本体と結合するために支持棒をさらに設けたことを特徴とする。
【００２３】
また、前記支持棒に背もたれスプリングをさらに設けたことを特徴とする。
【００２４】
また、前記首運動支持体溝の内部には弾性手段が設けられ、前記弾性手段はポケットスプリングを備えることを特徴とする首運動のための首運動支持体である。
【００２５】
また、前記補助支持板の下部には、指圧棒固定板を設けたことを特徴とし、前記指圧棒固定板には、肩指圧棒部を設けたことを特徴とする。
【００２６】
また、前記肩指圧棒部は、ボルトとハンドルとを備える肩指圧棒を有し、前記肩指圧棒は、前記ボルトの一端に、前記ボルトを前後進させることができる前記ハンドルと、前記ボルトの他端には前記ボルトをロック及び解除するための固定ピンとを備えたことを特徴とする。
【００２７】
また、前記肩指圧棒部は、前記指圧棒固定板と結合するためにレールボックスを備えることを特徴とする。
【００２８】
また、前記肩指圧棒部は上昇棒と連結され、かつ、椅子のハンドルを介して昇降可能に備えられ、前記上昇棒を昇降させる上昇レバーを設けたことを特徴とする。
【００２９】
また、前記昇降ロック部は第２ボルトと前記第２ボルトを前後進させることができるようにするスライド式留め具を備え、前記スライド式留め具を前後進させることができるケーブルを備え、前記ケーブルが引っ張られる時、前記上昇レバーを上昇させることができるように第３回転軸を前記上昇レバーに設けたことを特徴とする。
【発明の効果】
【００３０】
椎間板ヘルニア疾患は、直立歩行をする人間に宿命的なものである。現代人の業務環境は座って仕事をしなければならないため、一日中脊椎と頚椎のヘルニアが押されるしかない。それにもかかわらず、他の筋肉とは異なり、特に頚椎筋肉を鍛える機会がほとんどない実情がある。よく行われる首運動は、首を左右に回転させたり、前後左右に頭を動かしたりする運動である。
【００３１】
首運動の一般的な方法では、右手の平で耳上端の右側頭部を左に強く押しながら、同時に頭は右方向に右手の力と対応するように相互押す力で筋肉を鍛える。また、前述の反対側に押す力で首運動をする。この時、相互に押す力により、首に力が与えられて頚椎の筋肉が鍛えられる。このような運動でも首の頚椎ヘルニアが押されることを効果的に防止することができない。しかし、このような運動さえ別途時間を確保して行うことは簡単ではない。
【００３２】
このため、首の筋肉が弱くなり、継続的に首が押されてついには椎間板が押される。これを解決するための方法として前述した方法が利用されている。
【００３３】
しかしながら、これら器具の共通点は、頭を上に引っ張った状態で動かないことである。この方法では、牽引された状態で頭を固定するため、筋肉を鍛えることができないという問題がある。
【００３４】
首の筋肉を鍛えるための運動は、前述した手を利用した体操以外には器具を利用する場合がほとんどない実状がある。手足の筋肉を鍛える際には、ダンベルやバーベルなど重い器具を利用して筋肉量を増やしているが、首の場合は、上述したように、首を前後左右に回転させる程度の素手の運動が全部である。しかし、本発明は、首で力強く押す動作を繰り返すので、まるで首でダンベルを持ち上げる効果に相当する。素手で体操する時よりも筋肉量が画期的に増えて、根本的な首疾患の解決策になる。
【００３５】
また、後述するように、首を後ろに押す時優れた牽引効果が発生するので、一挙両得の効果を得ることができる。他の効果として、本発明の効用は、誰でも簡単で、且つ便利に運動をすることができることである。物理治療室の器具は、効果がないだけでなく、誰でも運動をすることが容易ではない。しかし、本発明は、日常接する椅子を利用するという点で非常に容易に運動をすることができる。仕事中または運転中にいつでもすることができ、方法としては、頭を後ろに倒す動作であれば十分である。そして、簡単な付加装置で肩も指圧することができるという効果を奏する。
【図面の簡単な説明】
【００３６】
【図１】本発明の斜視図である。
【図２】背もたれの内部構造図である。
【図３】接触板を示す図である。
【図４】接触板支持台を示す図である。
【図５】接触板と接触板支持台の結合図である。
【図６】本体の前面図である。
【図７】本体の背面図である。
【図８】接触板と接触板支持台と本体の結合図である。
【図９】支持板の分解図である。
【図１０】支持板の結合図である。
【図１１】接触板と接触板支持台と本体と支持板の結合図である。
【図１２】頚椎の運動現象の説明図である。
【図１３】脊椎と頚椎の有機的な動作の説明図である。
【図１４】運動過程と牽引過程の全体説明図である。
【図１５】従来方法の概要図である。
【図１６】支持棒の接触の説明図である。
【図１７】指圧ピンの斜視図（左側が分解図、右側が結合図）である。
【図１８】支持板の結合図である。
【図１９】図６の本体と上昇棒の結合図である。
【図２０】図１１と上昇棒の結合形態図である。
【図２１】上昇バーの分解図である。
【図２２】上昇バーの結合図である。
【図２３】椅子に図２０を結合した全体図である。
【図２４】椅子のハンドルに上昇バーケーブルとバイターケーブルの連結を示した状態図である。
【図２５】バイターがバイターケーブルによって動作する動作図である。
【図２６】上昇バーケーブルによって上昇棒を上昇させる状態図である。
【発明を実施するための形態】
【００３７】
最善の実施例は図１１で、図５、図６及び図１０を結合したものである。
【００３８】
図１１を構成する図５の接触板は、頭の後部に力を入れると接触板が前後方向に自在に移動する。
【００３９】
頭に力を入れると、図６の後面下端部の両側端部に、頭が後ろに倒される時にテコの役割を果たしながら下端部を上昇させるテコ支点５６があり、ヘッドレストが後方に移動する時、反対方向に押す第１トーションスプリング５７が挿入された状態図である。
【００４０】
また、接触板が下に移動する際に、テコ支点とテコ支点ローラー５５とトーションスプリングローラー５８の作用により、スプリング５２が作用することで、首を倒した際にも接触板に頭を定着することができるようにしている。
【００４１】
図１０は図９の上板と下板が結合された状態で、前後に上板が移動することができるように構成した様子を示す図である。
【００４２】
固定具をより詳細に示した図１１の右図のようなポケットスプリングがない場合、ヘッドレストの後面にある第１トーションスプリング５７が下に曲がっているため（図５ｂ参照）、第１回転軸５４が支持台溝の上端部に位置されて目的とする所定の牽引効果を得ることができない。
【００４３】
目的とする所定の牽引効果を得るために、第１回転軸５４が支持台７３の中央に形成された溝に沿って上昇しながら牽引作用が発生するので、通常は回転軸が下端に位置し、使用時に溝に沿って上方に上昇する。これを椅子と結合したものが図２であるが、この場合も牽引効果を得るために支持棒７７に圧縮スプリングを用いることにより使用時にヘッドレストが昇降することができるようになっている。
【００４４】
以上が、本発明の概要であり、スプリングが３箇所に用いられている。
【００４５】
以下、本発明を限定しない、好ましい実施例を添付された図面を参照して詳細に説明する。
【００４６】
図１は本発明の概略図であり、図２は背もたれの内部構造図である。
【００４７】
前述したように、本発明の要旨は、頭で接触板、接触板支持台、本体及び支持板を結合してなるヘッドレストを後方に押しながら首運動をし、同時に、首が長さ方向に牽引されるようにするということである。
【００４８】
図３、図４は頭と直接接触する接触板で、頭と接触板がよく接触されることができるようにするための接触板支持台の構造である。
【００４９】
図４は支持台の内部に接触板支持体貫通口３８が両側面に形成されているが、これは図６の本体と結合するためのものである。
【００５０】
接触板と接触板支持台は結合ピン３６を利用して結合する。
【００５１】
この結合体状態図が図５に示されている。
【００５２】
図５によれば、頭の後部に力を入れると接触板が自由に前後方向に移動される。
【００５３】
図６は図５と結合する本体を示す図である。
【００５４】
図６は本体の前面部に該当する。
【００５５】
図７は本体の後面部に該当たる。
【００５６】
図７は後面下端部の両側端部に、頭を後ろに倒す時にテコの役割を果たしながら下端部を上昇させるテコ支点５６があり、ヘッドレストが後方に移動する時、反対方向に押す第１トーションスプリング５７が挿入された状態図である。
【００５７】
この第１トーションスプリング５７は、本発明では板スプリングを利用した。小規模のトーションスプリングが、第２トーションスプリング５９で、首の筋肉が強化された時選択的に利用するようにしたもので、図７の左側端部はトーションスプリングが分解された図面であり、使用時には図７の右端部に示すように挿入される。場合によって、補助スプリングを入れることもでき、選択することができる。図７では、メインスプリングが挿入されることができるように示されている。
【００５８】
図８は図５と図６を結合した図である。
【００５９】
図９は、図８を椅子と結合させる中間に挿入される支持板の分解図である。
【００６０】
図９の支持板は、上板と下板とで構成され、上板には、図８を支持するために、図８の第１回転軸５４とリング部位を挿入することができる支持台７３が設けられており、上板の下部には下板を挿入するための結合棒挿入口が設けられている。
【００６１】
図９の下板には、下板の両側に支持板スプリング７４を挿入することができる第２結合棒７８を設置する。
【００６２】
図１０は図９の上板と下板が結合された図で、前後に上板が移動することができるように構成する。
【００６３】
図１１は図１０と図８の結合図であり、これは本発明のヘッドレストである。
【００６４】
図１１で一つ特徴的なのは、支持台７３の上部にポケットスプリングがあることである。
【００６５】
固定具をより詳細に示した図１１の右図のようなポケットスプリングがない場合は、ヘッドレストの後面にある第１トーションスプリング５７が下に曲がっているため（図７参照）、第１回転軸５４が支持台溝の上端部に位置されて、目的とする所定の牽引効果を得ることができない。
【００６６】
目的とする所定の牽引効果を得るために、第１回転軸５４が支持台７３の中央に形成された溝に沿って上昇しながら牽引作用が発生するので、通常は回転軸が下端に位置して、使用時に溝に沿って上方に上昇する。これを椅子と結合したものが図２であり、この場合も牽引効果を得るために、支持棒７７に圧縮スプリングを利用して使用時にヘッドレストが昇降することができるようになっている。
【００６７】
以上が本発明の概要であり、スプリングが３箇所に用いられている。
【００６８】
一般的に考えると、図１３の右図のように、通常のヘッドレストにトーション作用をするスプリングを一つだけ設置し、下端部のＡ点を中心に回転させればいいと推定することができるが、人体の構造上そのようにならない。問題は、首を倒す時頚椎だけ曲がるのではないという点である。運動時に首を牽引するために接触板に支持棒３１を設けたので、首の一定部分に接触した接触力によって最大限に牽引するように構成されている。
【００６９】
前記理由を図１２及び図１３を通じて説明する。
【００７０】
首を後ろに倒す時、頸椎は直線を保持したまま倒されるのではなく、７つの頸椎がそれぞれ曲がり、その様子は、弓のように曲線を描きながら曲がる。即ち、図１２の「ロ」点が頚椎７番であるが、この部分だけ曲がるのではなく、図面に示すように、各筋が弓のように協調しながら曲がる。首を後ろに倒す動作をする時は、頸椎が直線を保持したまま回転するのではなく、さらに頚椎のみ動くのではなく、脊椎、特に胸椎も一緒に動く。その結果、直線を保持したまま運動するより、図１２のｅ線だけ回転した時、ａだけ回転半径が小さくなる。下降幅も差があり、直線運動をした時より図１２のｄだけ追加して下降する。
【００７１】
図１３を説明すれば下記の通りである。
【００７２】
下端部が脊椎であり、上部が首の頚椎である。
【００７３】
図１３の第１図は、脊椎と頚椎が直線に動くことを前提に示したもので、頚椎７番のみ曲がるが、この場合ほとんど首を動かすことができなくなる。
【００７４】
図１３の第二図は、頚椎のみ曲がる場合であるが、この時も運動幅が大きくならず、力強く押すこともできない。しかし、実際にはこのように首を動かすことはできない。
【００７５】
図１３の第三図は、運動する時実際に発生する現象で、脊椎特に胸椎が一緒に後ろに曲がる。
【００７６】
この時、円滑な首運動が行われることができ、力強く運動をすることができる。特に首の後ろの大きく張り出した部分が頸椎７番の位置であり、後ろに倒しながら首の後ろに手を当て、図１３の第三図に相当する動作で動いていることを明確に確認することができる。胸椎は少し曲がり、頸椎は多く曲がる現象から、概略的には回転軸を胸椎部分と頚椎部分の２つに分けることができるが、より綿密に分析すると、胸椎と頚椎の各節がそれぞれ少しずつ曲がるので、回転軸が無数にあり、回転軸の位置も首を後ろに倒す角度に応じて頻繁に変化する。
【００７７】
このような現象から、図１３の第１図と第２図のように、単純制作では何の意味もなく、特に、本発明のように、接触板の下端に支持棒３１を設けた時はほとんど動くこともできなくなる。
【００７８】
前述したように、それぞれの運動に相応したスプリングを３ヶ所に設けた。
【００７９】
図１２のｅ線だけ首を倒す時、図１２のｄだけの追加下降があり、脊椎まで後ろに曲げるため、図１３ｃのβだけの追加下降がなされて、力を入れて押すと、自然に脊椎が弓のように曲がって前に張り出しながら曲がるため再び追加下降が行われる。
【００８０】
通常の身体の場合を例に挙げると、実際約１０cm以上の追加下降現象が発生する。
【００８１】
最初のスプリングはこれを吸収するために設けたもので、背もたれスプリング１２３（図２）である。
【００８２】
第二に、下降のみ行われるのではなく、後ろに後退してこそ円滑な運動が行われるが、これを説明したのが図１３である。これはあえて説明しなくてもできることであり、この運動も、実際普通の場合７〜１０cm程度追加後進が必要となり、これを吸収するためのものが図９で示す支持板スプリング７４である。
【００８３】
第三には、接触板スプリング５２（図６参照）の構成である。図１０に示すように、同図のｅ線だけの回転がある時ａだけの回転半径が小さくなった。
【００８４】
従って、このスプリングがない場合、回転時に頭が接触板の下に滑る現象が発生する。
【００８５】
最初の構成である下降スプリング（背もたれ）と第二の構成である支持板スプリング（図９）があっても頚椎が急激な曲線を描きながら曲がるため、接触板（図５）が頸椎７番の位置に引かれて下りない場合、滑走現象を避けることができない。
【００８６】
図１４は運動過程で牽引過程を説明する全体説明図に該当する。
【００８７】
図１６を用いて詳細に説明する。
【００８８】
図１６に示すように、ヘッドレストを長く（図１６のＬ）製作し、接触板スプリングのみ設置しても円滑な回転があると仮定する（複数箇所におけるスプリングの装着を避けるため）。しかしながら、これも頚椎が脊椎と別途に急激に曲がるため、頭が接触板で滑る現象を避けることができず、支持棒３１が風池血点の位置を離脱して、頭と接触板が滑る現象を回避することができない。
【００８９】
図１６の右側を参照すれば、頚椎が急激に曲がるため、たくさん倒すと、最終的には頭が接触板の下に滑って頭の上端部のみ接触板に接触することになる。
【００９０】
これは、牽引効果をもたらすことができないだけでなく、不快な滑り摩擦が発生して、運動の効果を期待することができなくなる。このような現象を避けるためにスプリングと一緒に構成した装置が、図６の接触板スプリング５２を押すようにする、図５に示す接触板３０の回転構成である。
【００９１】
それにより、常に頭と接触板が密着されて牽引可能になり、頭と触れる感覚も安定的になる。
【００９２】
以上、３ヶ所にスプリングを設けた理由を説明した。
【００９３】
ところが、このスプリングは逆に優れた牽引役割を果たしており、以下で牽引効果について説明する。
【００９４】
最初に、牽引効果をもたらすのは、図１４のように頭が後ろに倒れる時のテコ支点５６である。テコ支点はヘッドレストが回転する時にテコの役割を果たして、ヘッドレストの下端部を上昇させる役割を果たす。強力な荷重を受ける部分であるため、摩擦音を避け、滑らかな動作のために下端部にテコ支点ローラー５５を設けた。
【００９５】
第二には、テコ支点の末端に設けたトーションスプリングも後ろに曲がる時、トーションスプリングの弾性を利用して上昇作用の役に立つ。
【００９６】
第三には、図１４で背もたれスプリング１２３の牽引作用を見ると、首を約４５度後ろに傾けても支持棒と重なる風池血点は垂直方向に力を受ける。風池血点は、首部位の頭骨が終わる地点に凹んでおり、頭が倒された状態であるため、支持棒が垂直に首を押し上げるようになる。
【００９７】
従って、背もたれスプリング１２３が押し上げる力を直接受けることにより、牽引の効果が発生する。
【００９８】
特に、頚椎が曲がって直角方向に力を受けるため、頚椎の下端部である６、７番部位が大きな力を受けることになる。つまり、首が後ろに弓のように曲がりながら後ろに力を入れて押す時に使用される筋肉の主な部位は、頸椎の中間上部の２、３、４、５番の部位になり（この部分が大きく曲がる）、下端部の頚椎６、７番の部位の筋肉は、構造上完全に曲がって、結果的にあまり力が加えられなくなって、相対的に筋肉があまり硬くならない下端部の筋肉がさらに増えるようになるからである。首の疾患はほぼ頚椎６、７番の部分で発生するため、これは首の疾患の治療に良い現象である。
【００９９】
次に、スプリングの反作用によりスプリングが押される力だけ牽引の力として作用する。従来の方法では、首を一字状に保持したまま牽引をするので、頚椎全体が均等に牽引力を受けることになるが、これに比べて、本発明では一定の頚椎に集中的に力が加えられることを可能にする。そして、首を後ろに倒す瞬間から頸椎は徐々に背もたれスプリングの反作用の力を受けながら、角度が加えられるほど、この力は増加していく。この力が首を牽引する力になる。
【０１００】
つまり、筋肉に力を加え（後ろに押す動作）、上方に持ちあがる力（筋肉を引っ張る）を受けながら、筋肉が鍛えられるという意味である。
【０１０１】
本発明は首を後ろに倒す瞬間から背もたれスプリングの上昇しようとする反作用の力を受ける。もちろん、首に力が入って筋肉が硬くなっているので、何の力も入らない従来の方法より牽引の長さは小さいかも知れない。しかし、前述のように筋肉が強化されながら伸びることと、力が入らない状態での牽引とでは、質の異なる効果を得ることができる。
【０１０２】
筋肉が一定の繰り返される状態を記憶し、強化されながら牽引されることと、何の力も加えずただ上下することとでは、首運動による筋肉の強化の度合が異なる。
【０１０３】
このような現象は、接触板スプリング５２（図６）の場合も同じ原理で発生し、この時は、倒される角度に関係なく常に垂直方向への力を受けることになる。
【０１０４】
接触板結合ピン３６によって接触板と頭が常に平行状態になるからである。
【０１０５】
以上、首運動をする時牽引が同時に発生する原理を説明した。
【０１０６】
また他の実施例としては、首運動と同時に指圧をするための装置を設けることができる。
【０１０７】
図１２の支持板の底面に指圧棒を設置すれば、ヘッドレストが下降する力によって、肩を指圧することができる。これは図１７及び図１８を参照して説明する。
【０１０８】
図１８の支持板の下にあるものが指圧棒固定板１６３で、ここに図１７の指圧棒を装着した後、支持板と結合すれば完成する。指圧棒は前後左右に移動可能に図１７のように製作する。
【０１０９】
図１７の左側は分解図であり、右側は結合図である。
【０１１０】
指圧棒４１が設置されている図１７の上から２番目の図の第１ボルト１５３を装着した後、固定ピンスプリング１５１をピースで固定し、蓋板１６０をすれば完成する。
【０１１１】
通常は固定ピン１５２が張り出て、指圧棒固定板に穿孔された穴に挿入されたまま固定されているが、ハンドル１５４を押すと、指圧ピンが第１ボルト１５３の末端にある三角形のスライド部分によって持ち上げられて指圧体を自由に動かすことができる。
【０１１２】
図１７の右側の下部分に示したのはレールボックス１５８である。
【０１１３】
その中に前記指圧棒本体が入って前後に移動可能である。指圧棒固定板１６３の前にレールのように凹んだレール溝１６２があり、レールキャップの下端にあるレール突起１５７がここに挿入されたまま左右に移動する。ハンドル１５４をワンタッチすることで、前後左右の所望の位置に移動可能で、ハンドルを離すと、その場ですぐ固定される。普段は指圧装置が張り出されると、椅子として使いづらくなるので、この指圧板は、図１８に示すように、支持板の下部に隠し、必要時のみ使用するようにする。
【０１１４】
操作時に右側は左手で左側は右手で操作をするので、ハンドルの位置をそれに合わせて配置した。
【０１１５】
レール溝１６２を設けた理由は、肩のつぼの構造が平面でなく、力が加えられながら、所望の位置から離脱されやすいため、これを防止するためのものである。レール突起１５７が左右に長さがあるので、押されることなく所望の位置で指圧棒が接することになる。
【０１１６】
ほとんどの首疾患患者は、肩の痛みが伴い、疲れた肩がすっきり刺激される時、ヘッドレストを頻繁に使用するようになる装置である。指圧の効果を高めるために、図１に示すように、背もたれの上端両側を下げて、この部分に肩をかけることができるようした。首の運動時に、胸を張ってここに両肩を乗せて運動すれば、指圧効果が倍加する。肩を下端部が支える場合とそうでない場合、指圧効果が異なる。この部位は、普段休む時も両肩を乗せて休むと胸が伸びるようになる効果がある。
【０１１７】
別の実施例では、アームレストを後方に引っ張ることにより牽引力をさらに向上させることができるようにした。この例を図１９ｂ及び２４に示す。
【０１１８】
図２３は全体動作図で、その概要はアームレストを後ろに引く時、第２回転軸２２３の下端に前進レバー２２２を設置して動力伝達線であるケーブルを利用して追加牽引をする原理である。
【０１１９】
図１９に示すように、ヘッドレストのテコ支点を備えた支持体５０の下端に上昇棒１７３が結合される溝１７０を形成し、ここに上昇棒１７３を結合する。その形状が図２０である。上昇棒はヘッドレストが前後に移動されるため、これに合わせて中間にジョイント１７２を設けた。もちろん、支持板は、図１８に示すように、上昇棒通過口１６４、１６６を前後に長く形成する。
【０１２０】
ヘッドレストの支持棒７７は、図２３に示すように長くして、背もたれの上下に取り付けられた固定バー２１０を通過して装着し、引張スプリング２１１を使用して上に持ち上げられるようにする。
【０１２１】
以下では、指圧の効果がある追加機能を説明する。
【０１２２】
支持棒７７の中間部位に両面に鋸歯が形成されたＴバー２１２を、ボルトを利用して前記支持棒と堅固に固定する。下部の固定台２３０には、椅子の左側アームレストを引っ張る時、Ｔバー２１２が一緒に動いてくるようにするバイター２３４を挿入しておき、通常は下部のトーションスプリング２３３がバイターを上方へ押していて、Ｔバーとバイターが相互に離間されるようにしてバイターがＴバー２１２の動作に支障を与えないようにしておく。しかし、アームレストを引くと、バイターが狭くなりながらＴバー２１２を一緒に下降させながら、支持棒と連結されて支持棒も一緒に下降し、追加的に指圧する。アームレストを離すと椅子底板のリターンスプリング２２０とバイターの下端のトーションスプリング２３３の作用により元の状態に回復され、バイターは間隔が広がってＴバー２１２を離す。
【０１２３】
もちろん、バイターは歯が開くように弾性体でできている。
【０１２４】
次に、ヘッドレストを上昇させる牽引過程を説明する。
【０１２５】
牽引は指圧と異なって、上昇しなければならないため、図２２のような上昇バー１９０を用いて上昇棒を上昇させ、アームレストを引っ張る時に、これと連結されたケーブルの作用により上昇する。この場合、首運動が可能なように、図２２に示すようなスライドトリガ１９６を使用した。この場合、右のアームレストにケーブル１９４を連結し、図示しないが、図面の左のアームレストでは、前記バイターを下降させて指圧棒とヘッドレストの追加降下に役に立つような構造を設ける。
【０１２６】
図２１は上昇バーの分解図で、上昇バーの上の内部に入っている、上昇棒１７３を噛む第２ボルト１９１は、図２２に図示された第３トーションスプリング１９３を示す。
【０１２７】
第２ボルトは、第３トーションスプリングによって後ろへ押されて、通常は上昇棒１７３と接触がないが、アームレストを後ろに押すと、ワイヤ１９５が引っ張られることによってスライドトリガ１９６が下降しながら第２ボルト１９１を前進させて上昇棒１７３を噛む構造である。それにより、第３回転軸１９２によって第２ボルト１９１が回転軸によって少しずつ上下に移動して運動効果を発揮する。
【０１２８】
上昇棒１７３は、上部は前後に動かなければならないので、ジョイントの下端部のみ固定する。図２３に示すように、支持棒固定バー２１０を介して支持する。
【０１２９】
アームレストを使用する段階は、すでに首が後ろに大きく倒され、上昇棒がすでに下降した状態であるため、上昇棒の上昇時に必要な上昇空間が少なくても牽引することができ、上昇レバー１９０をレバレッジの比率が高くなるように設置することができて、少ない力でも所期の目的を達成することができる。
【０１３０】
従って、いくらでも強力な力を得ることができ、上昇する力が強ければ強いほど、それだけ首は力を入れて支えるので、この過程で自然に首の筋肉が強化される。
【０１３１】
特に、本発明は、後ろに倒した状態で運動幅を少なく、即ち首を軽くうなずく動作が接触板３０の遊動作用により可能になる。首をほとんど動かすことができない従来の方法とは大きく異なる有用性である。
【０１３２】
これは、狭くなった椎間板の間隔を増やすのに画期的な方法で、アームレストを追加で使用する時に行うとさらに効果があり、短期間に狭くなった椎間板が広くなる効果がある。
【０１３３】
強力に牽引している状態で、首をうなずく動作は、まるで大きな岩を移動する時テコを利用して少し動かすと岩が動く原理のように、この動作によって狭くなった椎間板が大幅に広がる。
【０１３４】
次に、アームレストの固定方法について説明する。
【０１３５】
図２４、図２５及び図２６はアームレスト部に設置されたバイターと上昇バーの移動について説明する詳細図である。
【０１３６】
アームレストは、普段は後ろに倒されないようにリターンスプリング２２０があって、アームレストが自動的に回復するようにできる。左アームレストを後方に移動してバイターによって追加下降させることができる。右のアームレストを介して、上昇レバーを上昇させ、運動を終えた後はリターンスプリングの作用により原状に回復することができる。
【０１３７】
従って、アームレストの使用は、首がある程度倒された状態でさらに使用するため、首を倒さない状態では、アームレストとしての役割を果たす。
【０１３８】
動力伝達ケーブルは、自転車や車で一般的に使用されるもので、曲げやすいが収縮性の無い鋼管内部にワイヤを入れて使用するものである。
【０１３９】
本発明を使用すると、上で説明したように、首を後ろに倒す動作であるので、首が前に突き出た亀首の矯正に適合し、胸まで伸ばしてはじめて首が順調に動くようになるので、胸まで広く伸ばされる。
【０１４０】
全ての関節は筋肉が取り囲んでおり、首筋肉も同じである。
【０１４１】
膝関節がすりへる場合サイクリングと水泳を勧めるが、この時、関節を取り囲む筋肉が強化されて治療されるからである。
【０１４２】
サイクリングや水泳に膝を牽引する過程がないにも関わらず筋肉が強化され、関節の間の間隔が広くなるが、これは筋繊維が収縮のある筋膜に囲まれて、筋肉が横のみに太くなるのではなく、長さも長くなるからである。首の筋肉を強化させると、自然に牽引効果を得ることができるということになる。従って、本発明は、牽引はなくても、筋肉の強化だけで大きな意味がある発明である。頭と体の各部位を連結する部位が首であるため、首が健康で頭と体の架け橋の役割を正常に果たす時、健康になるということを示唆する。首に過負荷がかかると肩こりになり、首が弱いことから過負荷がかかるのである。根本的な治療は、首の筋肉を強化させることしか他に方法がない。
【０１４３】
そして、首の筋肉の大部分が首筋にあるので、首を後ろに倒す運動こそ頚椎疾患の治療と予防に最適な条件となる。
【０１４４】
最後に、本発明は、ほとんどの装置が背もたれと椅子の下に隠れているので、見掛けが従来の椅子と同じで、見掛けに対する拒否感もない。
【０１４５】
使用方法も何も操作せずにそのまま首だけ後ろに倒すだけで済む。
【０１４６】
接近性も目が覚めてから一日中接する椅子であるので、自然に接することができる。
【産業上の利用可能性】
【０１４７】
第一に、牽引効果をもたらすのは、図１４における頭を後ろに倒す時のテコ支点５６である。テコ支点はヘッドレストが回転する時、テコの役割を果たしてヘッドレストの下端部を上昇させる役割を果たす。強力な荷重を受ける部分であるため、摩擦音を避け、滑らかな動作をするために下部にテコ支点ローラー５５を設けた。
【０１４８】
第二に、テコ支点の末端に設置されたトーションスプリングも後ろに曲がる時、トーションスプリングの弾性を利用して上昇作用をする。
【０１４９】
第三に、図１４で背もたれスプリング１２３の牽引作用を見ると、首を約４５度だけ後ろに傾けても支持棒が接する風池血点は垂直方向に力を受ける。首の部位の頭骨が終わる地点で凹んで頭が倒された状態であるため、支持棒が垂直に首部位を押し上げることになる。
【０１５０】
従って背もたれスプリング１２３が押し上げる力を直接受けることにより、牽引効果が発生する。
【０１５１】
特に頚椎が曲がって直角方向に力を受けるため、頚椎の下端部である６、７番の部位が大きな力を受けることになる。つまり、首が後ろに弓のように曲がりながら後ろに力を入れて押す時に使用される筋肉の主な部位は、頸椎の中間上部の２、３、４、５番部位になり（この部分が大きく曲がるようになるので）、下端部の頚椎６、７番の部位の筋肉は、構造上あまり曲がらず、結果的に力があまり加えられないので、相対的に筋肉があまり硬くない下端部の筋肉が増えるからである。首疾患はほぼ頚椎６、７番の部分で発生するため、これは首の疾患の治療に良い効果がある。
【０１５２】
本発明は、首で力強く押す動作を繰り返す。首でダンベルを持ち上げるような効果に相当する。素手での体操よりも筋肉量が大幅に増え、根本的な首疾患の解決策となる。
【０１５３】
また、首を後ろに倒す時優れた牽引効果があるので、一挙両得の効果を得ることができる。また他の効果として、本発明の効用は、誰でも簡単で、且つ便利に運動をすることができる。物理治療室の器具は効果がないだけでなく、誰でも簡単には運動することができない。しかし、本発明は、日常の椅子を使用するという点で非常に容易に運動をすることができる。仕事中または運転中にいつでも運動をすることができ、方法としては、頭を後ろに倒す動作であれば十分である。
【図１】
2017511738.tif 000003
【図２】
2017511738.tif 000004
【図３】
2017511738.tif 000005
【図４】
2017511738.tif 000006
【図５】
2017511738.tif 000007
【図６】
2017511738.tif 000008
【図７】
2017511738.tif 000009
【図８】
2017511738.tif 000010
【図９】
2017511738.tif 000011
【図１０】
2017511738.tif 000012
【図１１】
2017511738.tif 000013
【図１２】
2017511738.tif 000014
【図１３】
2017511738.tif 000015
【図１４】
2017511738.tif 000016
【図１５】
2017511738.tif 000017
【図１６】
2017511738.tif 000018
【図１７】
2017511738.tif 000019
【図１８】
2017511738.tif 000020
【図１９】
2017511738.tif 000021
【図２０】
2017511738.tif 000022
【図２１】
2017511738.tif 000023
【図２２】
2017511738.tif 000024
【図２３】
2017511738.tif 000025
【図２４】
2017511738.tif 000026
【図２５】
2017511738.tif 000027
【図２６】
2017511738.tif 000028
【国際調査報告】
2017511738.tif 000029
2017511738.tif 000030
2017511738.tif 000031
2017511738.tif 000032